(57)【要約】【課題】  従来の世界地図における特定国家の位置を探しにくいという課題、英語による国家名や国旗などを確認しにくいという課題を解決した世界地図を提供する。【解決手段】複数の区分線５で区分される区分欄の座標値が表示してある地図部２と、大陸別に異なった色が付された複数の大陸表示部８の別に複数の国家名表示部９が表示してある国家名索引部３とを備え、国家名表示部９には、一連番号、英語を除く一の言語による国家名９ａ、英語による国家名９ｂ、及び当該国家が前記地図部上に表示されている区分欄の座標値９ｃが表示してあり、地図部２及び国家名索引部３の外側に、大陸別に区分されており相異なる色が付された複数の大陸区分識別部１１が配してあり、各大陸区分識別部１１に応じて当該大陸に属する国家の国旗１０が対応する一連番号の順に配してある。【選択図】図１
0003108570.tif 000002
【実用新案登録請求の範囲】
【請求項１】
地図上に、当該地図を横方向及び縦方向へ所定の間隔で区切る複数の区分線が表示してあり、これら区分線で区分されるそれぞれの区分欄の横方向の座標値及び縦方向の座標値が表示してある地図部と、
大陸別に異なった色が付された複数の大陸表示部の別に複数の国家名表示部が表示してある国家名索引部と
を備え、
前記国家名表示部には、一連番号、英語を除く一の言語による国家名、英語による国家名、及び当該国家が前記地図部上に表示されている区分欄の座標値が表示してあり、
前記地図部及び国家名索引部の外側に、大陸別に区分されており相異なる色が付された複数の大陸区分識別部が配してあり、
各大陸区分識別部に応じて当該大陸に属する国家の国旗が、前記国家名表示部に表示した各一連番号の内の対応する一連番号の順に配してあることを特徴とする世界地図。
【請求項２】
前記各国旗の近傍に、当該国旗に係る国家の英語を除く一の言語による国家名、及び英語による国家名、並びに当該国旗の国家が前記地図部上に表示されている区分欄の座標値がそれぞれ表示してある請求項１記載の世界地図。
【考案の詳細な説明】
【技術分野】
【０００１】
本考案は、世界地図に係り、より詳しくは、地図上において、所要の国家を大陸別に非常に容易に探し出すことができると共に、英語による国家名を併記することで学習效果を増進させ、該当する国家の国旗も容易に確認できるようにして学習效果を更に増進させた世界地図に関する。
【背景技術】
【０００２】
従来より使用されている世界地図は、各国家名が直接、地図上の該当する国家領域内に表示されているだけであるため、ユーザが特定の国家を探し出そうとする場合、大陸を確認し、その大陸において地図の隅々まで探さなければならないという煩わしさがあった。
【０００３】
また、英語圏以外の国にあっては、英語による各国家名などは記載されていない場合が多い一方、英語で表記された世界地図は別途製作されていたので、ユーザが特定国家の英語名を覚えることが難しいという不都合があった。
【０００４】
更に、特定国家の国旗などを確認しようとする場合は、別の資料を探さなければならなかった。このように従来の世界地図の利用価値は低いものであった。
【考案の開示】
【考案が解決しようとする課題】
【０００５】
本考案は、このような従来の世界地図における特定国家の位置を探しにくいという課題、英語による国家名や国旗などを確認しにくいという課題を解決した世界地図を提供することにある。
【０００６】
特に、本考案は、世界地図において、国家を大陸別に区分して索引できるようにし、また前記国家名を英語以外の一の言語及び英語でそれぞれ表示することで英語の学習效果も向上できるようにした。また、特定の国家を地図上から容易に捜し出せるように地図上の座標値を明記すると共に大陸別に区分し、特定国家の国旗をも非常に容易に確認できるようにした世界地図を提供することにある。
【課題を解決するための手段】
【０００７】
請求項１記載の本考案は、地図上に、当該地図を横方向及び縦方向へ所定の間隔で区切る複数の区分線が表示してあり、これら区分線で区分されるそれぞれの区分欄の横方向の座標値及び縦方向の座標値が表示してある地図部と、大陸別に異なった色が付された複数の大陸表示部の別に複数の国家名表示部が表示してある国家名索引部とを備え、前記国家名表示部には、一連番号、英語を除く一の言語による国家名、英語による国家名、及び当該国家が前記地図部上に表示されている区分欄の座標値が表示してあり、前記地図部及び国家名索引部の外側に、大陸別に区分されており相異なる色が付された複数の大陸区分識別部が配してあり、各大陸区分識別部に応じて当該大陸に属する国家の国旗が、前記国家名表示部に表示した各一連番号の内の対応する一連番号の順に配してあることを特徴とする。
【０００８】
また、請求項２記載の本考案は、前記各国旗の近傍に、当該国旗に係る国家の英語を除く一の言語による国家名、及び英語による国家名、並びに当該国旗の国家が前記地図部上に表示されている区分欄の座標値がそれぞれ表示してあることを特徴とする。
【考案の効果】
【０００９】
請求項１記載の本考案では、本考案に係る世界地図は、地図部とは別に、大陸表示部及び国家名表示部を具備する国家名索引部を表示し、前記国家名索引部には、大陸別に、一連番号を付記した複数の国家名が、英語を除く一の言語と英語とで表示してあり、また当該国家が前記地図部上に表示されている区分欄の座標値が表示してあるため、ユーザは、国家名を大陸別に英語による国家名と共に容易に覚えることができ、また、地図部上の該当国家の位置も容易に確認することができる。更に、該当国家が属する大陸の区分と一連番号とを用いて、該当する大陸区分識別部に係る該当する国旗をも容易に探し出して確認することができる。このように、世界地図を見ながら特定国家の属する大陸、位置及び国旗などを非常に容易に捜し出すことができると共に、英語による国家名をも容易に覚えることができるなど、学習効果の面においても非常に優れた考案である。
【００１０】
請求項２記載の本考案では、各国旗の近傍に、当該国旗に係る国家の英語を除く一の言語による国家名、及び英語による国家名、並びに当該国旗の国家が前記地図部上に表示されている区分欄の座標値がそれぞれ表示してあるため、国旗の種類から、特定国家が属する大陸、及び特定国家の位置などを非常に容易に捜し出すことができると共に、英語による国家名をも容易に覚えることができる。
【考案を実施するための最良の形態】
【００１１】
以下、添付図を参照しながら本考案を詳しく説明する。
【００１２】
図１は、本考案に係る世界地図１を示す一部省略正面図であり、図２は、図１に示した地図部２の拡大図であり、図３は、図１に示した国家名索引部３の拡大図である。また、図４は、図１に示した世界地図１の部分拡大図であり、本考案の一要部である大陸別国家の国旗表示部４を説明するものである。これらの図面と共に本考案を詳しく説明すれば、次の通りである。
【００１３】
すなわち、本考案に係る世界地図１は、次のように２次元的に印刷製作してある。つまり、世界地図１は、世界各国の位置を示した地図上に各国の首都名を表記した地図部２を有しており、前記地図上には、当該地図を横方向及び縦方向へ所定の間隔で区切る複数の区分線５，５，…が表示してある。また、前記地図の周囲には、各区分線５，５，…で区分された複数の区分欄６，６，…から所要の区分欄６をユーザが容易に捜し出せるように、座標部７が設けてあり、地図の上縁及び下縁に配した座標部７には、区分欄６，６，…の横方向の位置を示す座標値が例えばアルファベットで、地図の両側縁に配した座標部７には、区分欄６，６，…の縦方向の位置を示す座標値が例えばアラビア数字でそれぞれ表示してある。
【００１４】
この地図部２の下部には、各大陸別に国家名を表示した国家名索引部３が配置してある。
【００１５】
国家名索引部３は、複数の大陸表示部８，８，…と、各大陸表示部８，８，…に連続して１又は複数の国家名表示部９を、各大陸表示部８，８，…別に区分して表示してなり、前記国家名表示部９を構成する欄に比べて大陸表示部８を構成する欄の大きさをやや大きくしてある。これによって、ユーザが大陸表示部８を容易に捜し出せるようになっている。
【００１６】
前記大陸表示部８，８，…は、下地色を大陸別に異なる色相で彩色してあり、後述する国旗表示部４の色相と、大陸別に統一してある。なお、大陸表示部８，８，…の下地色を着色する以外に、大陸表示部８，８，…の枠、又は大陸表示部８，８，…に表示する大陸名の文字等を着色するようにしてもよい。
【００１７】
国家名表示部９には、一連番号と共にユーザの使用言語、例えば日本語により国家名を表示した第１国家名９ａと、英語により国家名を表示した第２国家名９ｂとが表示してあり、更に、地図部２上の該当国家が位置する区分欄６の縦方向及び横方向の座標値９ｃが表示してある。
【００１８】
そして、図３に示した如く、当該大陸表示部８に複数の国家名表示部９，９，…が区分されている場合、各国家名表示部９，９，…に第１国家名９ａ，９ａ，…が、例えば日本語表記であるときは五十音順で表示してある。例えば、国家名索引部３の「アジア」と表記された大陸表示部８に続けて複数の国家名表示部９，９，…が配してあり、各国家名表示部９，９，…には先頭から順に、第１国家名９ａとしてアジア大陸に属する日本語による国家名が五十音順で、先頭からの順番を示す一連番号と共に表示してあり、更に、第１国家名９ａに対応する第２国家名９ｂ及び座標値９ｃがそれぞれ表示してある。
【００１９】
更に、前述した地図部２及び国家名索引部３の外側、すなわち世界地図１の周縁近傍の部分に、国旗表示部４が配してある。
【００２０】
この国旗表示部４には、細帯体の近傍に各大陸名を表記した複数の大陸区分識別部１１，１１，…が地図部２及び国家名索引部３を取り囲むように配してあり、各大陸区分識別部１１，１１，…の細帯体には、前述した大陸表示部８，８，…の内の大陸名が同じものの下地色と同じ色が付してある。なお、図１に示した如く、大陸区分識別部１１，１１，…は、複数段で表記してもよい。
【００２１】
各大陸区分識別部１１，１１，…別に区分してその近傍（内側又は外側）に、当該大陸に属する国家の国旗１１，１１，…が、前述した国家名索引部３に表示された国家名の順に表示してあり、各国旗１１，１１，…の近傍に、国家名索引部３の対応する第１国家名９ａに表示された一連番号と同じ値の一連番号、対応する第１国家名９ａ、第２国家名９ｂ及び座標値９ｃが表示してある。これによって、第１国家名９ａ、第２国家名９ｂ、および該当国旗１０の国家を座標値９ｃを用いて地図部２上で容易に捜し出すことができる。なお、この国旗１０の近傍に表示される第２国家名９ｂは、必要に応じて省略しても構わない。
【００２２】
このように構成した本考案に係る世界地図１は、特定国家の位置を非常に容易に捜すことができ、該当国家の英文名と共に国旗をも容易に確認することができるものである。
【００２３】
例えば、捜し出そうとする国家が、「アジア」に属するとすれば、地図部２の下方に配した国家名索引部３上に表示された大陸表示部８から「アジア」を捜し出し、また国家名が五十音順に配列されているので、該当国家を国家名表示部９から確認する。
【００２４】
国家名表示部９には、該当国家の日本語による第１国家名９ａと英語による第２国家名９ｂとが表示されているので、該当国家の英語のスペルなどを確認することで英語を学習することができる。
【００２５】
また、座標値９ｃを参照して地図部２の座標部７，７，…に表示された値から該当国家の地図部２上の位置を捜し出すことができるので、該当国家が「アジア」大陸のどの辺に位置しているのかを確認することができる。すなわち、座標値９ｃには、地図部２の地図上を横方向及び縦方向へ区分する各区分線５，５，…で区分される区分欄６の横方向及び縦方向の座標７の座標値が表示されているので、ユーザは該当座標値９ｃを用いることで、各国の地図上の位置と首都名とを容易に確認できるのである。
【００２６】
また、該当国家の国旗１０をも確認しようとするときは、「アジア」大陸の場合、大陸表示部８上の下地色と同じ色を有する大陸区分識別部１１を地図部２の外側の部分から容易に捜し出すことができ、該当国家の一連番号と同じ一連番号の順に配置された該当国家の国旗１０を容易に捜し出すことができる。
【図面の簡単な説明】
【００２７】
【図１】本考案に係る世界地図を示す一部省略正面図である。
【図２】図１に示した地図部の拡大図である。
【図３】図１に示した国家名索引部の拡大図である。
【図４】図１に示した世界地図の部分拡大図である。
【符号の説明】
【００２８】
１    世界地図
２    地図部
３    国家名索引部
４    国旗表示部
５    区分線
６    区分欄
７    座標部
８    大陸表示部
９    国家名表示部
９ａ  第１国家名
９ｂ  第２国家名
９ｃ  座標値
１０  国旗
１１  大陸区分識別部
【図１】
0003108570.tif 000003
【図２】
0003108570.tif 000004
【図３】
0003108570.tif 000005
【図４】
0003108570.tif 000006
【手続補正書】
【提出日】平成17年1月7日(2005.1.7)
【手続補正１】
【補正対象書類名】実用新案登録請求の範囲
【補正対象項目名】請求項１
【補正方法】変更
【補正の内容】
【請求項１】
地図を印刷した長方形状の用紙上において、当該地図を横方向及び縦方向へ所定の間隔で区切る複数の区分線を表示し、これら区分線で区分されるそれぞれの区分欄の横方向の座標値及び縦方向の座標値を地図の周囲に表示してなる地図部と、
大陸別の異なった色を大陸毎にそれぞれ付してなる複数の大陸表示部と共に、その大陸に該当する国家名を大陸表示部毎に表示した複数の国家名表示部よりなる国家名索引部と
を備え、
国家名索引部は前記地図部の下部に配置表示し、
更には、前記国家名表示部には、一連番号、英語を除く一の言語による国家名、英語による国家名、及び当該国家が前記地図部上に表示されている区分欄の座標値を表示し、
前記地図部及び国家名索引部の外側には、大陸別に区分して相異なる色が付された複数の細帯体を配して構成した大陸区分識別部を配し、
しかも、各大陸区分識別部に応じて当該大陸に属する各国家の国旗を、細帯体よりなる大陸区分識別部と地図部との間に配すると共に、各国家の国旗は、国家名表示部中に記載された各国家の一連番号の順に配してなることを特徴とする世界地図。
【手続補正２】
【補正対象書類名】明細書
【補正対象項目名】０００７
【補正方法】変更
【補正の内容】
【０００７】
請求項１記載の本考案は、地図を印刷した長方形状の用紙上において、当該地図を横方向及び縦方向へ所定の間隔で区切る複数の区分線を表示し、これら区分線で区分されるそれぞれの区分欄の横方向の座標値及び縦方向の座標値を地図の周囲に表示してなる地図部と、大陸別の異なった色を大陸毎にそれぞれ付してなる複数の大陸表示部と共に、その大陸に該当する国家名を大陸表示部毎に表示した複数の国家名表示部よりなる国家名索引部とを備え、国家名索引部は前記地図部の下部に配置表示し、更には、前記国家名表示部には、一連番号、英語を除く一の言語による国家名、英語による国家名、及び当該国家が前記地図部上に表示されている区分欄の座標値を表示し、前記地図部及び国家名索引部の外側には、大陸別に区分して相異なる色が付された複数の細帯体を配して構成した大陸区分識別部を配し、しかも、各大陸区分識別部に応じて当該大陸に属する各国家の国旗を、細帯体よりなる大陸区分識別部と地図部との間に配すると共に、各国家の国旗は、国家名表示部中に記載された各国家の一連番号の順に配してなることを特徴とする。